【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
カメラ装置から取り外し可能であり、前記カメラ装置との通信が可能なレンズ装置であって、
該レンズ装置に含まれる可動部材を移動または動作させるモータと、
前記モータの駆動停止指示と、前記モータに供給する供給電力を前記モータの駆動電力よりも低くすることを示す省電力指示を前記カメラ装置から受信したことに応じて、前記モータに対する電力の供給を停止するか、または、前記駆動電力よりも低い電力を前記モータに供給するレンズ制御手段を有することを特徴とするレンズ装置。
【請求項２】
前記レンズ制御手段は、前記モータの駆動を停止させた後に、所定期間、前記駆動電力よりも低い所定の電力を前記モータに供給して前記モータを停止状態に保持する停止保持通電を行い、
前記レンズ制御手段は、前記モータの駆動中または前記停止保持通電中に前記カメラ装置から前記省電力指示を受信したときは、前記停止保持通電が完了した後に前記供給電力を前記所定の電力よりも低くすることを特徴とする請求項１に記載のレンズ装置。
【請求項３】
前記レンズ制御手段は、同期信号に同期した同期通信方式と、前記同期信号に非同期の非同期通信方式により前記カメラ装置と通信可能であり、
前記レンズ制御手段は、前記カメラ装置との通信方式が前記同期通信方式である場合、前記モータの駆動停止指示と前記省電力指示を前記カメラ装置から受信したことに応じて、前記モータに対する電力の供給を停止するか、または、前記駆動電力よりも低い電力を前記モータに供給することを特徴とする請求項１または２に記載のレンズ装置。
【請求項４】
前記カメラ装置は、撮影モードとして、動画撮影を行う動画撮影モードを有し、
前記レンズ制御手段は、前記カメラ装置が動画撮影モードに設定されていることを示す情報を前記カメラ装置から受信した場合、前記モータの駆動停止指示と前記省電力指示を前記カメラ装置から受信したことに応じて、前記モータに対する電力の供給を停止するか、または、前記駆動電力よりも低い電力を前記モータに供給することを特徴とする請求項１または２に記載のレンズ装置。
【請求項５】
可動部材を移動または動作させるモータを含むレンズ装置が取り外し可能に装着され、前記レンズ装置との通信が可能なカメラ装置であって、
前記カメラ装置は、前記モータの駆動停止指示と、前記モータに供給する供給電力を前記モータの駆動電力よりも低くすることを示す省電力指示を前記レンズ装置に送信するカメラ制御手段を有し、
前記カメラ制御手段は、前記モータの駆動停止指示と前記省電力指示を前記レンズ装置に送信することにより、前記モータに対する電力の供給を停止させるか、または、前記駆動電力よりも低い電力を前記モータに供給させることを特徴とするカメラ装置。
【請求項６】
前記カメラ制御手段は、前記レンズ装置が前記省電力指示に対応しているか否かを判定し、前記省電力指示に対応していると判定した場合に、前記レンズ制御手段に対して前記省電力指示を送信することを特徴とする請求項５に記載のカメラ装置。
【請求項７】
カメラ装置から取り外し可能で、前記カメラ装置との通信が可能なレンズ装置であり、該レンズ装置に含まれる可動部材を移動または動作させるモータを有するレンズ装置の制御方法であって、
前記モータの駆動停止指示と、前記モータに供給する供給電力を前記モータの駆動電力よりも低くすることを示す省電力指示を前記カメラ装置から受信するステップを有し、
前記モータの駆動停止指示と前記省電力指示を受信したことに応じて、前記モータに対する電力の供給を停止するか、または、前記駆動電力よりも低い電力を前記モータに供給することを特徴とするレンズ装置の制御方法。
【請求項８】
可動部材を移動または動作させるモータを含むレンズ装置が取り外し可能に装着され、前記レンズ装置との通信が可能なカメラ装置の制御方法であって、
前記モータの駆動停止指示と、前記モータに供給する供給電力を前記モータの駆動電力よりも低くすることを示す省電力指示を前記レンズ装置に送信するステップを有し、
前記モータの駆動停止指示と前記省電力指示を前記レンズ装置に送信することにより、前記モータに対する電力の供給を停止させるか、または、前記駆動電力よりも低い電力を前記モータに供給させることを特徴とするカメラ装置の制御方法。
【手続補正２】
【補正対象書類名】明細書
【補正対象項目名】０００７
【補正方法】変更
【補正の内容】
【０００７】
本発明の一側面としてのレンズ装置は、カメラ装置から取り外し可能であり、該カメラ装置との通信が可能である。該レンズ装置は、これに含まれる可動部材を移動または動作させるモータと、該モータの駆動停止指示と、モータに供給する供給電力をモータの駆動電力よりも低くすることを示す省電力指示をカメラ装置から受信したことに応じて、モータに対する電力の供給を停止するか、または、駆動電力よりも低い電力をモータに供給するレンズ制御手段を有することを特徴とする。
【手続補正３】
【補正対象書類名】明細書
【補正対象項目名】０００８
【補正方法】変更
【補正の内容】
【０００８】
また、本発明の他の一側面としてのカメラ装置は、可動部材を移動または動作させるモータを含むレンズ装置が取り外し可能に装着され、該レンズ装置との通信が可能である。該カメラ装置は、モータの駆動停止指示と、該モータに供給する供給電力をモータの駆動電力よりも低くすることを示す省電力指示をレンズ装置に送信するカメラ制御手段を有し、該カメラ制御手段は、モータの駆動停止指示と省電力指示をレンズ装置に送信することにより、モータに対する電力の供給を停止させるか、または、駆動電力よりも低い電力をモータに供給させることを特徴とする。
【手続補正４】
【補正対象書類名】明細書
【補正対象項目名】０００９
【補正方法】変更
【補正の内容】
【０００９】
また、本発明の他の一側面としてのレンズ装置の制御方法は、カメラ装置から取り外し可能で、該カメラ装置との通信が可能なレンズ装置であり、該レンズ装置に含まれる可動部材を移動または動作させるモータを有するレンズ装置に適用される。該レンズ装置の制御方法は、モータの駆動停止指示と、該モータに供給する供給電力をモータの駆動電力よりも低くすることを示す省電力指示をカメラ装置から受信するステップを有し、モータの駆動停止指示と省電力指示を受信したことに応じて、モータに対する電力の供給を停止するか、または、駆動電力よりも低い電力を前記モータに供給することを特徴とする。
【手続補正５】
【補正対象書類名】明細書
【補正対象項目名】００１０
【補正方法】変更
【補正の内容】
【００１０】
さらに、本発明の他の一側面としてのカメラ装置の制御方法は、可動部材を移動または動作させるモータを含むレンズ装置が取り外し可能に装着され、該交換レンズ装置との通信が可能なカメラ装置に適用される。該カメラ装置の制御方法は、モータの駆動停止指示と、該モータに供給する供給電力をモータの駆動電力よりも低くすることを示す省電力指示をレンズ装置に送信するステップを有し、モータの駆動停止指示と省電力指示をレンズ装置に送信することにより、モータに対する電力の供給を停止させるか、または、駆動電力よりも低い電力を前記モータに供給させることを特徴とする。
【手続補正６】
【補正対象書類名】明細書
【補正対象項目名】００１８
【補正方法】変更
【補正の内容】
【００１８】
図１において、交換レンズ１００には、電気接点１１４ａ，１１４ｂ，１１４ｃが設けられている。また、カメラ２００には、電気接点２０８ａ，２０８ｂ，２０８ｃが設けられており、それぞれ交換レンズ１００の電気接点１１４ａ，１１４ｂ，１１４ｃに電気的に接続される。これら電気接点を介して、カメラ２００と交換レンズ１００との間で各種指示や各種情報が送受信され、またカメラ２００から交換レンズ１００に対して電源電力が供給される。
【手続補正７】
【補正対象書類名】明細書
【補正対象項目名】００３８
【補正方法】変更
【補正の内容】
【００３８】
Ｓ１０３からＳ１０８に進んだカメラＣＰＵ２０６は、ＡＦ再起動が必要か否かを判定する。具体的には、焦点評価値信号が大きく変化した場合や絞り値が変更された場合等、ＡＦをやり直す必要が生じたか否かを判定する。再起動か必要であればＳ１０２に戻って、ウォブリング駆動の駆動命令をレンズＣＰＵ１１０に送信する。
【手続補正８】
【補正対象書類名】明細書
【補正対象項目名】００６６
【補正方法】変更
【補正の内容】
【００６６】
Ｓ３１１では、レンズＣＰＵ１１０は、現在のフォーカスモータ１０８に対する通電状態がすでに通電ＯＮ状態か否かを判定する。通電ＯＮ状態である場合は、レンズＣＰＵ１１０は、Ｓ３１３に進む。また、通電ＯＮ状態でない場合には、レンズＣＰＵ１１０は、Ｓ３１２に進み、フォーカスモータ１０８ヘの通電を開始（ＯＮ）する。
【手続補正９】
【補正対象書類名】明細書
【補正対象項目名】００６８
【補正方法】変更
【補正の内容】
【００６８】
Ｓ３１４では、レンズＣＰＵ１１０は、フォーカスモータ１０８の駆動中または停止保持通電中であるか否かを判定する。駆動中または停止保持通電中であれば、レンズＣＰＵ１１０は、Ｓ３１３に戻る。駆動中でも停止保持通電中でもなければ（所定時間の停止保持通電が完了した場合は）、レンズＣＰＵ１１０は、Ｓ３１５にて現在の通電状態がすでに通電ＯＦＦ状態か否かを判定する。すでに通電ＯＦＦ状態であれば、レンズＣＰＵ１１０は、Ｓ３０１に戻る。通電ＯＮ状態であれば、レンズＣＰＵ１１０は、Ｓ３１６に進み、通電ＯＦＦ状態に移行する。